(57)【要約】【解決手段】振動手段を内蔵したホルダ１と、剃刀ヘッド２とを備えている。ホルダ１は、剃刀ヘッド２を取り付けた頭部３と、頭部３に設けた着脱連結部４に対し着脱連結部６により着脱可能に連結した把持部５とを備えている。ホルダ１の頭部３は、把持部５に対する着脱連結部４と、着脱連結部４から剃刀ヘッド２の刃台部材８側へ延びて刃体７の刃先７ａの延設方向に沿う左右方向Ｙの両側で刃台部材８に対し支持部１０により連結した左右両腕部９と、剃刀ヘッド２の刃台部材８と左右両腕部９と着脱連結部４との間に設けた窓孔１１とを備えている。窓孔１１は刃体７の刃先７ａ側になるホルダ１の腹側と刃先７ａに対し反対側になるホルダ１の背側との間で貫通されている。ホルダ１の背側において頭部３の着脱連結部４と把持部５の着脱連結部６とにはそれらの連結状態で互いにつながる指当凹部２４を形成している。【効果】振動式剃刀の使い勝手を良くする。【選択図】図１
2007222531.tif 000002
【特許請求の範囲】
【請求項１】
振動手段を内蔵したホルダと、刃体を有する剃刀ヘッドとを備えた振動式剃刀において、
このホルダは、剃刀ヘッドを取り付けた頭部と、この頭部に設けた着脱連結部に対し着脱連結部により着脱可能に連結した把持部とを備え、
このホルダの頭部は、この把持部に対する着脱連結部と、その着脱連結部から剃刀ヘッドの刃台部材側へ延びて刃体の刃先の延設方向に沿う左右方向の両側で刃台部材に対し支持部により連結した左右両腕部と、この剃刀ヘッドの刃台部材と左右両腕部と着脱連結部との間に設けた窓孔とを備え、この窓孔は刃体の刃先側になるホルダの腹側とその刃先に対し反対側になるホルダの背側との間で貫通されている
ことを特徴とする振動式剃刀。
【請求項２】
前記頭部の左右両腕部において、前記窓孔を形成する相対向両内縁部間の横間隔のうち、頭部の着脱連結部側の横間隔が最も狭くなっていることを特徴とする請求項１に記載の振動式剃刀。
【請求項３】
前記頭部の左右両腕部において、前記窓孔を形成する相対向両内縁部間の横間隔は、頭部の着脱連結部側から剃刀ヘッドの刃台部材側へ向かうに従い次第に広くなっていることを特徴とする請求項１に記載の振動式剃刀。
【請求項４】
前記頭部の着脱連結部と把持部の着脱連結部とのうち、一方の着脱連結部には外周に係止突部を有する軸を設けるとともに、他方の着脱連結部には内周に溝を有する穴を設け、この穴の溝は、穴の開口から穴の軸線方向へ延びる挿脱溝部と、この挿脱溝部から穴の周方向へ延びる係止溝部とを有し、
穴に開口から挿入した軸の係止突部が挿脱溝部に係入されて穴に対し軸が穴の軸線方向へ移動するのを可能にする挿脱可能状態と、穴に開口から挿入した軸の係止突部が挿脱溝部から係止溝部に係入されて穴に対し軸が穴の軸線方向へ移動するのを阻止する係止状態とを取る
ことを特徴とする請求項１または請求項２または請求項３に記載の振動式剃刀。
【請求項５】
振動手段を内蔵したホルダと、刃体を有する剃刀ヘッドとを備えた振動式剃刀において、
このホルダは、剃刀ヘッドを取り付けた頭部と、この頭部に設けた着脱連結部に対し着脱連結部により着脱可能に連結した把持部とを備え、
このホルダの頭部は、この把持部に対する着脱連結部と、その着脱連結部から剃刀ヘッドの刃台部材側へ延びて刃体の刃先の延設方向に沿う左右方向の両側で刃台部材に対し支持部により連結した左右両腕部と、この剃刀ヘッドの刃台部材と左右両腕部と着脱連結部との間に設けた窓孔とを備え、この窓孔は刃体の刃先側になるホルダの腹側とその刃先に対し反対側になるホルダの背側との間で貫通され、
前記ホルダの背側において頭部の着脱連結部と把持部の着脱連結部とにはそれらの連結状態で互いにつながる指当凹部を形成した
ことを特徴とする振動式剃刀。
【請求項６】
振動手段を内蔵したホルダと、刃体を有する剃刀ヘッドとを備えた振動式剃刀において、
このホルダは、剃刀ヘッドを取り付けた頭部と、この頭部に設けた着脱連結部に対し着脱連結部により着脱可能に連結した把持部とを備え、
前記ホルダの背側において頭部の着脱連結部と把持部の着脱連結部とにはそれらの連結状態で互いにつながる指当凹部を形成した
ことを特徴とする振動式剃刀。
【請求項７】
前記把持部の着脱連結部にはショアＡ１０以上ショアＤ４０以下の硬度を有する表面部を設け、その表面部に前記指当凹部を形成したことを特徴とする請求項６に記載の振動式剃刀。
【発明の詳細な説明】
【技術分野】
【０００１】
本発明は、ホルダに振動手段を内蔵した振動式剃刀に関するものである。
【背景技術】
【０００２】
従来、下記特許文献１にかかる振動式剃刀では、バッテリを電源とするモータにより、ハンドルのヘッド部内で偏心部材を回転させて振動を発生させ、ヘッド部に対し着脱可能に支持したブレードカートリッジにこの振動を伝達する。
【特許文献１】特表平６−５０１８６８号公報
【発明の開示】
【発明が解決しようとする課題】
【０００３】
上記特許文献１では、ブレードカートリッジに直接触れてブレードカートリッジを交換する必要があるとともに、ブレードカートリッジで生じたひげかす等がハンドルでヘッド部からグリップに振動により伝わり易くなってグリップを握った手が汚れ易い。従って、振動式剃刀の使い勝手が悪くなる。
【０００４】
この発明は、上記ハンドルに該当するホルダを改良して振動式剃刀の使い勝手を良くすることを目的としている。
【課題を解決するための手段】
【０００５】
後記実施形態の図面（図１〜５）の符号を援用して本発明を説明する。
請求項１の発明にかかる振動式剃刀は、下記のように構成されている。
この振動式剃刀は、振動手段２７を内蔵したホルダ１と、刃体７を有する剃刀ヘッド２とを備えている。このホルダ１は、剃刀ヘッド２を取り付けた頭部３と、この頭部３に設けた着脱連結部４に対し着脱連結部６により着脱可能に連結した把持部５とを備えている。このホルダ１の頭部３は、この把持部５に対する着脱連結部４と、その着脱連結部４から剃刀ヘッド２の刃台部材８側へ延びて刃体７の刃先７ａの延設方向に沿う左右方向Ｙの両側で刃台部材８に対し支持部１０により連結した左右両腕部９と、この剃刀ヘッド２の刃台部材８と左右両腕部９と着脱連結部４との間に設けた窓孔１１とを備えている。この窓孔１１は刃体７の刃先７ａ側になるホルダ１の腹側とその刃先７ａに対し反対側になるホルダ１の背側との間で貫通されている。
【０００６】
請求項１の発明では、ホルダ１において剃刀ヘッド２を取り付けた頭部３と把持部５とをそれらの着脱連結部４，６により互いに着脱することができるので、刃体７を有する剃刀ヘッド２に直接触れずに頭部３を把持して剃刀ヘッド２を容易に交換することができる。また、ホルダ１において剃刀ヘッド２と把持部５との間の頭部３に窓孔１１を貫設したので、剃刀ヘッド２で生じたひげかす等が把持部５に対し振動により伝わり易くなっても、そのひげかす等が剃刀ヘッド２の近くで窓孔１１を通して流れ落ち易くなって把持部５までも伝わりにくくなり、把持部５を握った手が汚れにくくなるとともに振動を受けても滑りにくくなる。さらに、使用時に剃刀ヘッド２を膚面に当てがった際、ホルダ１の腹側に面する膚面を剃刀ヘッド２の近くでホルダ１の背側から鏡等によりこの窓孔１１を通して見ることができ、把持部５に対し振動が伝わってその振動に気を取られても剃る膚面の位置及び状態を容易に確認することができる。従って、振動式剃刀の使い勝手を良くすることができる。
【０００７】
請求項１の発明を前提とする請求項２の発明においては、前記頭部３の左右両腕部９で、前記窓孔１１を形成する相対向両内縁部１２間の横間隔Ｗ１２のうち、頭部３の着脱連結部４側の横間隔Ｗ１２が最も狭くなっている。
【０００８】
請求項１の発明を前提とする請求項３の発明において、前記頭部３の左右両腕部９で、前記窓孔１１を形成する相対向両内縁部１２間の横間隔Ｗ１２は、頭部３の着脱連結部４側から剃刀ヘッド２の刃台部材８側へ向かうに従い次第に広くなっている。
【０００９】
請求項２〜３の発明では、剃刀ヘッド２側で広い窓孔１１を確保することができるので、請求項１の発明の効果を助長することができる。
請求項１または請求項２または請求項３の発明を前提とする請求項４の発明は、下記のように構成されている。
【００１０】
前記頭部３の着脱連結部４と把持部５の着脱連結部６とのうち、一方の着脱連結部６には外周に係止突部１９を有する軸１８を設けるとともに、他方の着脱連結部４には内周に溝２１を有する穴２０を設けている。この穴２０の溝２１は、穴２０の開口２０ａの軸線方向へ延びる挿脱溝部２１ａと、この挿脱溝部２１ａから穴２０の周方向へ延びる係止溝部２１ｂとを有している。穴２０に開口２０ａから挿入した軸１８の係止突部１９が挿脱溝部２１ａに係入されて穴２０に対し軸１８が穴２０の軸線方向へ移動するのを可能にする挿脱可能状態Ｐと、穴２０に開口２０ａから挿入した軸１８の係止突部１９が挿脱溝部２１ａから係止溝部２１ｂに係入されて穴２０に対し軸１８が穴２０の軸線方向へ移動するのを阻止する係止状態Ｑとを取る。請求項４の発明では、頭部３と把持部５とを簡単な着脱構造のもとで容易に着脱することができる。
【００１１】
請求項５の発明にかかる振動式剃刀は、請求項１の発明に下記の構成を追加している。
前記ホルダ１の背側において頭部３の着脱連結部４と把持部５の着脱連結部６とにはそれらの連結状態で互いにつながる指当凹部２４（指当凹部２２及び指当凹部２３）を形成している。
【００１２】
請求項５の発明では、請求項１の発明の効果に加え、下記の効果も奏する。
把持部５に対し振動が伝わっても、指当凹部２４に指を当てがうことにより把持部５を把持し易くなるばかりでなく、指当凹部２４を広くして指を当てがい易くすることができる。また、頭部３の指当凹部２２と把持部５の指当凹部２３とに指を当てがって頭部３と把持部５とを容易に着脱することができる。従って、振動式剃刀の使い勝手を良くすることができる。
【００１３】
請求項６の発明にかかる振動式剃刀は、下記のように構成されている。
この振動式剃刀は、振動手段２７を内蔵したホルダ１と、刃体７を有する剃刀ヘッド２とを備えている。このホルダ１は、剃刀ヘッド２を取り付けた頭部３と、この頭部３に設けた着脱連結部４に対し着脱連結部６により着脱可能に連結した把持部５とを備えている。前記ホルダ１の背側において頭部３の着脱連結部４と把持部５の着脱連結部６とにはそれらの連結状態で互いにつながる指当凹部２４（指当凹部２２及び指当凹部２３）を形成している。
【００１４】
請求項６の発明では、ホルダ１において剃刀ヘッド２を取り付けた頭部３と把持部５とをそれらの着脱連結部４，６により互いに着脱することができるので、刃体７を有する剃刀ヘッド２に直接触れずに頭部３を把持して剃刀ヘッド２を容易に交換することができる。また、把持部５に対し振動が伝わっても、指当凹部２４に指を当てがうことにより把持部５を把持し易くなるばかりでなく、指当凹部２４を広くして指を当てがい易くすることができる。さらに、頭部３の指当凹部２２と把持部５の指当凹部２３とに指を当てがって頭部３と把持部５とを容易に着脱することができる。従って、振動式剃刀の使い勝手を良くすることができる。
【００１５】
請求項６の発明を前提とする請求項７の発明において、前記把持部５の着脱連結部６にはショアＡ１０以上ショアＤ４０以下の硬度を有する表面部１７ａを設け、その表面部１７ａに前記指当凹部２３を形成している。請求項７の発明では、指当凹部２４に適度な弾力を持たせることができるので、指当凹部２４に指を当てがった際の感触を良くして振動式剃刀の使い勝手を良くすることができる。
【００１６】
次に、請求項以外の技術的思想について実施形態の図面の符号を援用して説明する。
請求項１から請求項４のうちいずれかの請求項の発明を前提とする第８の発明において、前記頭部３の窓孔１１で、頭部３の着脱連結部４の内縁部４ａと剃刀ヘッド２の刃台部材８との間の縦間隔Ｌは、頭部３の左右両腕部９の相対向内縁部１２間の横間隔Ｗ１２よりも大きくなっている。第８の発明では、窓孔１１を通して膚面を見る範囲が剃刀ヘッド２を剃る方向で広くなり、剃る膚面の位置及び状態をより一層容易に確認することができる。
【００１７】
請求項１から請求項４のうちいずれかの請求項の発明または第８の発明を前提とする第９の発明において、前記剃刀ヘッド２の刃台部材８は頭部３の左右両腕部９の支持部１０に対し位置決めされた着脱不能な固定状態で連結されている。また、第９の発明を前提とする第１０の発明において、前記左右両腕部９の支持部１０は、刃台部材８の左右両側を支える左右の外固定部１４と、この左右両外固定部１４間で刃台部材８の左右両側を支える左右の内固定部１５とを有している。さらに、第９の発明を前提とする第１１の発明において、前記左右両腕部９の支持部１０は、左右方向Ｙに対し直交する前後方向Ｘへ延びて刃体７の刃先７ａ側になる刃台部材８の前縁部８ａ側とその刃先７ａに対し反対側になる刃台部材８の後縁部８ｂ側との間を支える左右の外当接部１４と、この左右両外当接１４間で刃台部材８の前縁部８ａ側を支える左右の内当接部１５とを有している。第９〜１１の発明では、剃刀ヘッド２の刃台部材８を頭部３の左右両腕部９の支持部１０により安定性良く支えることができる。
【００１８】
請求項１から請求項７のうちいずれかの請求項の発明または第８の発明または第９の発明または第１０の発明または第１１の発明を前提とする第１２の発明において、前記振動手段２７はホルダ１の把持部５に内蔵されている。第１２の発明では、剃刀ヘッド２を取り付けた頭部３を交換し、振動手段２７を内蔵した把持部５を再利用することができる。
【発明の効果】
【００１９】
本発明は、振動式剃刀の使い勝手を良くすることができる。
【発明を実施するための最良の形態】
【００２０】
以下、本発明の一実施形態にかかる振動式剃刀について図面を参照して説明する。
図１（ａ）（ｂ）及び図２（ａ）に示すホルダ１は、剃刀ヘッド２を取り付けた頭部３と、この頭部３に設けた着脱連結部４に対し着脱連結部６により着脱可能に連結した把持部５とを備えている。この剃刀ヘッド２においては、表側で刃体７が露出し、裏側で刃台部材８がホルダ１の頭部３に面している。
【００２１】
前記ホルダ１の頭部３においては、左右両腕部９が把持部５に対する着脱連結部４から剃刀ヘッド２の刃台部材８側へ延びて刃体７の刃先７ａの延設方向に沿う左右方向Ｙの両側で刃台部材８に対し支持部１０により連結され、この剃刀ヘッド２の刃台部材８と左右両腕部９と着脱連結部４との間に窓孔１１が形成されている。この窓孔１１は刃体７の刃先７ａ側になるホルダ１の腹側とその刃先７ａに対し反対側になるホルダ１の背側との間で貫通されている。この頭部３の左右両腕部９においては、その相対向両内縁部１２がこの窓孔１１を形成し、この左右両内縁部１２に対し反対側になる左右両外縁部１３がその左右両内縁部１２にほぼ沿って延びている。
【００２２】
前記頭部３の左右両腕部９においては、図４（ａ）（ｂ）に示すように、窓孔１１を形成する相対向両内縁部１２のうち、窓孔１１の面積が最も狭いホルダ１の腹側で、相対向両内縁部１２ａ間の横間隔Ｗ１２が頭部３の着脱連結部４側から剃刀ヘッド２の刃台部材８側へ向かうに従い次第に広がり、この横間隔Ｗ１２のうち頭部３の着脱連結部４側の横間隔Ｗ１２が最も狭くなっている。この相対向両内縁部１２ａはホルダ１の腹側から背側へ膨らむように略円弧状に湾曲している。この相対向両内縁部１２ａが形成する窓孔１１の腹側で頭部３の着脱連結部４の内縁部４ａと剃刀ヘッド２の刃台部材８の左右方向中央部８ｃとの間の縦間隔Ｌは上記横間隔Ｗ１２のうち最大のもの（左右両支持部１０を除く左右両腕部９において窓孔１１の腹側でその左右両支持部１０に隣接する左右両内縁部１２ａ間の横間隔Ｗ１２）よりも大きくなっている。また、この頭部３の左右両腕部９において、窓孔１１の腹側で左右両内縁部１２ａに対し反対側になる左右両外縁部１３ａがその左右両内縁部１２ａにほぼ沿って延び、この左右両外縁部１３ａ間の横間隔Ｗ１３も頭部３の着脱連結部４側から剃刀ヘッド２の刃台部材８側へ向かうに従い次第に広がり、この横間隔Ｗ１３のうち頭部３の着脱連結部４側の横間隔Ｗ１３が最も狭くなっている。前記窓孔１１は指が入る程度に広い貫通空間になっており、上記横間隔Ｗ１２のうち着脱連結部４側の最小横間隔Ｗ１２が０〜２０ｍｍの範囲に設定され、刃台部材８側の最大横間隔Ｗ１２が１０〜５０ｍｍの範囲に設定され、上記縦間隔Ｌが１０〜６０ｍｍの範囲に設定されている。また、上記横間隔Ｗ１３のうち着脱連結部４側の最小横間隔Ｗ１３が６〜３０ｍｍの範囲に設定され、刃台部材８側の最大横間隔Ｗ１３が１５〜６０ｍｍの範囲に設定されている。指が窓孔１１に入れば、頭部３と把持部５とをそれらの着脱連結部４，６により互いに着脱し易い。前述したように略円弧状に湾曲する相対向両内縁部１２ａの曲率半径Ｒについては、１５〜１００ｍｍが好ましく、実際には約３０ｍｍになっている。
【００２３】
前記左右両腕部９の支持部１０は左右の外当接部１４（外固定部）と左右の内当接部１５（内固定部）とを有している。この左右両外当接部１４は、左右方向Ｙに対し直交する前後方向Ｘに沿うように延びて刃体７の刃先７ａ側になる刃台部材８の前縁部８ａ側とその刃先７ａに対し反対側になる刃台部材８の後縁部８ｂ側との間を支える。この左右両内当接部１５は、この左右両外当接部１４間で刃台部材８の前縁部８ａ側を支える。この左右両外当接部１４は、刃台部材８に面接触された状態で当てがわれて超音波溶接等による溶接や接着剤による接着などにより、着脱不能な固定状態で位置決めされて連結されている。この左右両内当接部１５は、刃台部材８にある既存の凹凸部に嵌め込まれた状態でそれらの凹凸部に当てがわれ、着脱不能な固定状態で位置決めされて連結されている。
【００２４】
図３（ａ）（ｂ）に示すように、前記ホルダ１において、把持部５は、二色射出成形され、前記頭部３と同様にＡＢＳ樹脂等の硬質体により成形された内筒１６と、この内筒１６の外周に被覆されたエラストマ等の軟質体により成形された把持体１７とからなる。この把持体１７の表面部１７ａはショアＡ１０以上ショアＤ４０以下の硬度を有している。
【００２５】
前記把持部５の着脱連結部６においては、内筒１６の頭端部に軸１８が突設され、その軸１８の外周に係止突部１９が形成されている。前記頭部３の着脱連結部４においては、図２（ｂ）に示すように、内周にＬ字状の溝２１を有する穴２０が形成されている。この穴２０の溝２１は、穴２０の開口２０ａから穴２０の軸線方向（把持部５の長手方向）へ延びる挿脱溝部２１ａと、この挿脱溝部２１ａの内端部から穴２０の周方向へ延びる係止溝部２１ｂとを有し、この係止溝部２１ｂが図１（ｂ）及び図５（ｃ）（ｄ）に示すように外側へ貫通されている。図５（ａ）（ｂ）に示すように、穴２０に開口２０ａから軸１８を挿入すると、軸１８の係止突部１９が挿脱溝部２１ａに係入されて穴２０に対し軸１８が軸線方向１８ａへ移動するのを可能にする挿脱可能状態Ｐとなる。図５（ｃ）（ｄ）に示すように、穴２０に開口２０ａから挿入した軸１８の係止突部１９が挿脱溝部２１ａの内端部に至ったところでその軸１８を周方向へ回動させると、軸１８の係止突部１９が挿脱溝部２１ａから係止溝部２１ｂに係入されて穴２０に対し軸１８が軸線方向１８ａへ移動するのを阻止する係止状態Ｑとなる。この挿脱可能状態Ｐと係止状態Ｑとを経て軸１８を穴２０に対し挿脱して頭部３の着脱連結部４と把持部５の着脱連結部６とを互いに着脱することができる。
【００２６】
前記ホルダ１の背側において頭部３の着脱連結部４の外側には指当凹部２２が形成されている。その背側において把持部５の着脱連結部６で把持体１７の表面部１７ａの外側には指当凹部２３が形成されている。この指当凹部２３は着脱連結部６から把持部５の尻端部側へ延びている。この頭部３の着脱連結部４と把持部５の着脱連結部６とを互いに連結した連結状態では、頭部３の指当凹部２２と把持部５の指当凹部２３とが互いにつながって一つの指当凹部２４となる。この把持部５の指当凹部２３内には滑り止め突起２３ａが形成されているとともに、この指当凹部２３に対し周方向両側で隣接する把持体１７の表面部１７ａにも滑り止め突起２５が形成されている。この指当凹部２３と把持部５の尻端部との間で把持体１７の表面部１７ａの背側及び腹側には前記内筒１６に形成された複数の突起１６ａの端面が面一状態で露出している。この各突起１６ａの露出端面の面積のうち把持部５の尻端部側の露出端面の面積ほど小さくなっている。
【００２７】
図３（ａ）（ｂ）に示すように、前記把持部５の内筒１６の尻端部には開口２６が形成されている。この内筒１６内に振動手段としての振動装置２７が開口２６から組み込まれて内蔵されているとともに、この開口２６を塞ぐスイッチ蓋２８が内筒１６の尻端部に対し着脱不能に挿嵌されている。このスイッチ蓋２８の外周には複数の指掛部２８ａが周方向へ並設され、図１（ｂ）に示すように、一つの指掛部２８ａの周方向両側にＯＮ及びＯＦＦの表示が付されているとともに、前記内筒１６の一部を面一状態で露出させた矢印３６がＯＮ及びＯＦＦの表示のうちいずれかを指すようにスイッチ蓋２８を周方向へ回動操作することができる。ちなみに、このスイッチ蓋２８を把持部５に対しＯＦＦ側からＯＮ側へ回動させる向きは、前記把持部５の着脱連結部６に対し頭部３の着脱連結部４を回動させて離脱させる向きと同一になっている。
【００２８】
前記振動装置２７においては、内筒１６内の頭端部側に嵌め込まれたケース２９内に電動モータ３０が取り付けられているとともに、前記着脱連結部６の軸１８に隣接するケース２９内でこの電動モータ３０の出力軸３０ａに偏心錘３１が取着され、このケース２９と内筒１６の尻端部との間で乾電池である電源３２が嵌め込まれている。この電源３２としては、充電式のものや交流式のものであってもよい。そのほか、このケース２９に取着された導電板３３が電源３２に接続されて電動モータ３０に対し電線（図示せず）により接続されているとともに、このケース２９に取着された導電板３４が電動モータ３０に対し電線（図示せず）により接続されてケース２９からスイッチ蓋２８まで引き出され、このスイッチ蓋２８内には電源３２に接続された導電板３５が取着されている。
【００２９】
使用時に、前記矢印３６がＯＮまたはＯＦＦを指すようにスイッチ蓋２８を回動操作すると、前記導電板３４と導電板３５とが互いに接続されたＯＮ状態と互いに離れたＯＦＦ状態とを取る。このＯＮ状態で偏心錘３１が電動モータ３０により回転すると、その偏心錘３１の回転により生じる振動は、把持部５の着脱連結部６から頭部３の着脱連結部４と頭部３の左右両腕部９及びその支持部１０と剃刀ヘッド２の刃台部材８とを経て刃体７に伝わる。このスイッチ蓋２８の端面が平坦になっているため、不使用時にはこのスイッチ蓋２８の端面を載せて振動式剃刀の全体を立たせることができる。その振動式剃刀の重心は、把持部５側にあり、例えば把持部５の頭端部と尻端部との間の中央部や、その中央部よりも尻端部側にある。そのような重心の位置設定により、振動式剃刀を立たせた際の安定性を良くするとともに、把持部５を把持した際に持ち易くすることができる。なお、このスイッチ蓋２８を内筒１６の尻端部に対し着脱可能にして乾電池を交換できるようにしてもよい。
【００３０】
本実施形態にかかる振動式剃刀の全体については、把持部５の長手方向に沿って測った全長が約１４０ｍｍ、その長手方向に対し直交する方向に沿って測った全幅が約４０ｍｍ、電源３２などを含む全質量が約３５ｇに設定されている。また、電源３２などを含む把持部５の全質量が約２９ｇ、剃刀ヘッド２を含む頭部３の全質量が約６ｇ、偏心錘３１の全質量が約０．５〜５ｇに設定されている。さらに、電動モータ３０の回転数を毎分５０００〜１５０００に設定することが好ましい。
【００３１】
図１に示す振動式剃刀においては、不使用時に剃刀ヘッド２にキャップを被せて保管してもよい。その振動式剃刀と２〜３個の替刃部材（剃刀ヘッド２が取り付けられた頭部３）とを一つのパッケージに入れて販売したり、複数個の替刃部材のみを一つのパッケージに入れて販売してもよい。
【００３２】
図示しないが、前記各実施形態以外にも下記のように構成してもよい。
＊  頭部にある窓孔の形状については、前記実施形態以外にも、円形状など任意に変更することができる。その際、指が入る程度の大きさ、例えば断面直径約１０ｍｍ以上の丸棒が通る程度の大きさ及び形状にすることが好ましい。
【００３３】
＊  剃刀ヘッドの刃台部材については、刃体を組み込んで載置したスライド台をレール台に対し着脱可能に支持し、このレール台に左右両腕部を連結する。
＊  剃刀ヘッドを頭部の左右両腕部に対し首振り可能に支持したり着脱可能に支持するように、剃刀ヘッドの刃台部材に対する左右両腕部の支持部の連結構造を変更する。
【００３４】
＊  振動手段については、ホルダの把持部ばかりでなく、その一部をホルダの頭部にも内蔵する。例えば、把持部に内蔵された電動モータの出力軸が把持部の着脱連結部から偏心錘とともに突出し、把持部の着脱連結部と頭部の着脱連結部との連結状態で出力軸及び偏心錘を頭部の着脱連結部に内臓する。また、把持部に内蔵された電動モータの出力軸が把持部の着脱連結部から突出し、頭部に内蔵された偏心錘に対し把持部の着脱連結部と頭部の着脱連結部との連結状態でその出力軸を連結する。さらに、電動モータもホルダの頭部に内臓することができ、その際には把持部の着脱連結部と頭部の着脱連結部との連結状態で把持部内の電源に対し電動モータが電気的に接続されるようにする。
【００３５】
＊  把持部の着脱連結部の構造と頭部の着脱連結部の構造とを互いに逆にし、把持部の着脱連結部で穴を設けるとともに、頭部の着脱連結部で軸を設ける。
【図面の簡単な説明】
【００３６】
【図１】（ａ）は本実施形態にかかる振動式剃刀を背側から見た組付け斜視図であり、（ｂ）は同じく腹側から見た組付け斜視図である。
【図２】（ａ）は本実施形態にかかる振動式剃刀を背側から見た分解斜視図であり、（ｂ）はこの振動式剃刀においてホルダの頭部の着脱連結部を破断して示す部分斜視図である。
【図３】（ａ）（ｂ）はそれぞれこの振動式剃刀においてホルダの把持部を示す縦断面図である。
【図４】（ａ）はこの振動式剃刀においてホルダの頭部を背側から見た背面図であり、（ｂ）は同じく側面側から見た断面図である。
【図５】（ａ）はこの振動式剃刀のホルダにおいて頭部の着脱連結部と把持部の着脱連結部との間の挿脱可能状態を示す部分縦断面図であり、（ｂ）は（ａ）の横断面図であり、（ｃ）は同じく係止状態を示す部分縦断面図であり、（ｄ）は（ｃ）の横断面図である。
【符号の説明】
【００３７】
１…ホルダ、２…剃刀ヘッド、３…ホルダの頭部、４…頭部の着脱連結部、４ａ…頭部の着脱連結部の内縁部、５…ホルダの把持部、６…把持部の着脱連結部、７…剃刀ヘッドの刃体、７ａ…刃先、８…剃刀ヘッドの刃台部材、９…頭部の腕部、１０…腕部の支持部、１１…頭部の窓孔、１２…腕部の内縁部、１７ａ…把持部の表面部、１８…把持部の着脱連結部の軸、１９…軸の係止突部、２０…頭部の着脱連結部の穴、２０ａ…穴の開口、２１…穴の溝、２１ａ…溝の挿脱溝部、２１ｂ…溝の係止溝部、２２，２３，２４…指当凹部、２７…振動手段としての振動装置、Ｐ…挿脱可能状態、Ｑ…係止状態、Ｗ１２…横間隔。
【図１】
2007222531.tif 000003
【図２】
2007222531.tif 000004
【図３】
2007222531.tif 000005
【図４】
2007222531.tif 000006
【図５】
2007222531.tif 000007